(57)【要約】      （修正有）【課題】浴槽に簡単に装着可能であり遮断・断熱・保温・密閉性能に優れ、人体への事故を回避する強度のある風呂蓋浴槽内保温密閉装置及び施工方法を提供する。【解決手段】風呂・浴槽部９の開口部・表面大開口部分に脱着可能なカバーを浴槽上面設置し、真空技術から保温断熱密閉風呂蓋１により開口部・浴槽表面大開口部分の液体の流出・温度低下液体表面熱エレルギー放出抑制・製品破損による人体の障害を防ぎ、エネルギー消費を抑制、省エネ対策とし、製品事故を防止した。【選択図】図１
2013138804.tif 000002
【特許請求の範囲】
【請求項１】
風呂蓋浴槽内保温密閉装置及び施工方法は、既存するどのような構造特性を有する風呂・浴槽部にも応用・適用が可能で風呂・浴槽の開口部・液体表面大開口部分に脱着可能な風呂蓋浴槽内保温密閉装置及び施工カバーを浴槽上面設置し、その保温断熱密閉風呂蓋カバーにより開口部・浴槽表面大開口部分からの液体の流出・温度低下や液体表面熱エネルギー放出抑制・保温を必要とする液体空間の冷却低下抑制措置とし保温処置される、液体は下部の温度が低く上部に行くほど液体の温度は高くなる傾向がある風呂・浴槽などでは液体空間の冷却低下を抑制することは不可能で従来の方法・設備では風呂蓋による保温密閉による適切なエネルギー消費の抑制出来ず、省エネ対策の根本的対策に及んでいない風呂・浴槽部・ユニットバスでは製品の形状上浴槽部形成体上部最長面は水平構造で形成されてなく液体を斜形面により排出する構造を用いた様式が多く風呂蓋による保温密閉の維持は出来ない為、密閉が維持出来ず浴槽内空間と液体温度の保温断熱密閉が不可能で、強度構成体を持たない風呂蓋にパッキン構造を持たせ風呂蓋自体をリブ構造で構造事態が二本のリブで形成強度を支え合う構造を持つ風呂蓋であり形成強度が高く、浴槽内保温密閉装置とし熱エネルギー消費を抑制促進する省エネルギー対策製品で形成変形も少なくリブがパッキンを真空減圧で押す構造の為変形が無く広範囲での、風呂・浴槽範囲を覆う風呂蓋の制作が可能となり風呂蓋自体の強度があり実験耐久性にも問題ない結果を得た、風呂・浴槽・ユニットバスの形成体の最長部分とほぼ等しく成らなくては成らない取り付け構造は風呂・浴槽・ユニットバスの全長を考慮し、また収納状態に干渉されない最小形成最突端の範囲で形成しなければならない、形成範囲の拡大は収納性能に支障をきたすが発明の形成範囲とする為形成に制限を有しない事を特徴とした風呂蓋浴槽内保温密閉装置及び施工方法。
【請求項２】
風呂蓋浴槽内保温密閉、装置及び施工方法では単独使用でも十分な効果が得られるが、真空に近い減圧特性による保温密閉遮断特性を持つ構造で風呂・浴槽内を風呂蓋浴槽内保温密閉装置により、内部液体内の酸素を減圧する構造がとれ真空ポンプの併用により内部液体の保温時間を維持する事が可能となる真空ポンプには、ポンプの動力装置を手動とする物や真空ポンプ動力体を原動機を有すものがあるが、本発明はポンプの様式・仕様を限定するものではない、揺動ピストン型ドライ真空ポンプ・回転翼型ドライ真空ポンプ・ロータリーポンプ・ダイヤフラムポンプ・拡散ポンプ・ソープションポンプ・イオンポンプ・ターボ分子ポンプなどetc．色々な種類がありポンプによって到達真空度や真空にする速度、真空の密度に違いがあり真空に程度がある不思議に思うかもしれませんが、大気圧よりも低い圧力状態のことをおおざっぱに真空と呼びもっと厳密に真空の程度を示すのには圧力を用います、圧力の単位はPaで１平方メートルに約10kg の力がかかったのと等価な圧力が１ Pa です。大気圧１気圧は１０１ｋ Pa 程度になり水の室温２７℃での圧力は3.5kPa なので、真空ポンプでこの圧力まで減圧すると水は沸騰する論理になり風呂蓋浴槽内保温密閉装置及び施工方法のより密閉空間を形成すると完全真空の必要性は無く液体の時間経過による温度の低下により浴槽内空間気温が低下すると、空間真空度は加速され空気濃度密度は低く成り浴槽内保温時間を維持継続する事が可能となるが、本発明は厳密な真空状態を必要とせずその効果を液体温度４５度で減圧状態程度の気圧調整で８時間保温状態を確保確認できたよって、電気・ガス・燃料などによる外部エネルギーに頼らない装置が可能である製品設置する構造を有する事を特徴とする請求項１に記載の風呂蓋浴槽内保温密閉装置及び施工方法。
【請求項３】
風呂蓋浴槽内保温密閉装置及び施工方法では、真空減圧特性維持による保温密閉遮断特性を持つ構造で風呂・浴槽内を風呂蓋浴槽内保温密閉装置により、内部液体内の酸素を減圧する構造を常設する真空ポンプ等で行う為、災害時排水ポンプ及び空気導入・換気に使用転用が可能である構造を有する事を特徴とする請求項１に記載の風呂蓋浴槽内保温密閉装置及び施工方法。
【請求項４】
風呂蓋浴槽内保温密閉装置及び施工方法では風呂・浴槽という使用状態で厳密な完全真空状態を必要としない減圧過程に於いて貢体形成体の破損防止の為形成強度が必要となり実験により想定減圧耐久構造範囲は想定出来使用ポンプの性能により過剰減圧による破損は無い設計強度理念を用いて制作構成され風呂蓋浴槽内保温密閉装置ではリブ形成で強度を保ち減圧効果を上げる為、パッキン単独、単独リブでの製品も可能だが構造上二重リブ構造が望ましい風呂蓋浴槽内保温密閉装置は二重リブ構造を有する二重リブ形成強度体であり既存の風呂・浴槽の開口位置に遮断保温密閉装置である風呂蓋浴槽内保温密閉装置を設置することを特色とした、二重リブパッキ体が二本のリブでお互いの形成強度を支え合う構造を持つ風呂蓋であり構造的には、ゴムパッキンを二本のリブで風呂蓋浴槽内保温密閉装置を減圧により吸着さす構造と気圧・形成物自体の形状・変形にも考慮し、また風呂蓋である構造上脱着可能な必要性があり浴槽の性能に干渉されない範囲で形成される、風呂・浴槽の形成部構造素材（プラスチック・アルミ・鉄・鋳物・etc.）が何であっても、その浴槽及び開口部自体を覆いリブパッキン構造となり保温対策と同時に気密遮断性を保て浴槽開口部の破損及び事故を防止する、簡易的な風呂蓋が目的である開閉式の従来の製品とは、明らかに違う構造を取り製品自体が二重リブパッキン構造を有する構造体であり二本のリブが、圧着リブが二本存在する事により互いに作用し加重圧力が分散され、製品の形成強度が保てるリブにより形成強度を支え合う構造を持つ強度のある風呂蓋浴槽内保温密閉装置及び施工方法であり、開口部からの液体熱エネルギー放出を抑制出来る、現在存在する浴槽のあらゆる材質や形状に対応した風呂蓋浴槽内保温密閉装置及び施工方法・開口部カバーであり、保温遮断断熱密閉性に優れた構造を持ち風呂蓋浴槽内保温密閉装置は、新製品に本機能を有する構造をあらかじめ装着すること以外にも構造が単純なことから、あらゆる風呂・浴槽部の開口部にも施工を施せる構造がとれ既存の風呂・浴槽部開口部に設置でき、その汎用性も高い構造を有する事を特徴とする請求項１に記載の風呂蓋浴槽内保温密閉装置及び施工方法。
【請求項５】
風呂蓋浴槽内保温密閉装置及び施工方法では風呂蓋の本来の使用用途である簡易保温であるが、風呂蓋の見た目の構造上強度認識出来ない幼児・老人が風呂蓋に加重を及ぼす危険性は否めず、特殊な体形例外はあるが風呂蓋に加重運動エネルギー耐える構造体を必要とするが既存の製品では基準には到達しない、その事実により既存の製品により実験を試みたが人体保護の確認ができた製品は存在しない、取り付け構造は浴槽部の形成全長を考慮し、また収納状態に干渉されない風呂蓋浴槽内保温密閉装置の形成最突端の範囲で形成しなければ成らず製品破損による人体の及ぼす障害を防ぎ、エネルギー消費を抑制促進する省エネルギー対策及び製品事故の自主防衛の為の設備である外部衝撃にも強い形成体である風呂蓋浴槽内保温密閉装置及び施工方法では製品自体が二重リブパッキン構造を有する構造体であり二本のリブが、圧着リブが二本存在する事により互いに作用し加重圧力が分散され、製品の形成強度が保てるリブにより形成強度を支え合う構造を持つ強度のある風呂蓋浴槽内保温密閉装置は二重リブ構造を有する二重リブ形成強度体である為その効果は人体危険保護の構造をとなり、人体の加重重心移動による風呂蓋の滑りにも風呂蓋浴槽内保温密閉装置及び施工方法での真空圧着により回避でき人間構造生理学的に転倒事故を誘発しない構成となり、現存するあらゆる風呂・浴槽部の安全性の向上を図る事を特徴とする請求項１に記載の風呂蓋浴槽内保温密閉装置及び施工方法。
【請求項６】
風呂蓋浴槽内保温密閉装置及び施工方法では、既存の風呂蓋の構造では滑り・破損・転落によりあらゆる人体へ及ぼすダメージエネルギーの危険性から人体を保護する必要性があるが、構造体の形成状態・構造範囲制限からダメージ・運動エネルギーを軽減さすことは不可能で、当初の設計理念保ち耐久性・強度・収納性を両立し構造貢体を利用し安全性と耐久性を導き出す事が必要となる、その保温密閉性・収納性・安全性・耐久性実現する風呂蓋浴槽内保温密閉装置及び施工方法・理論は現存しなかった現存するあらゆる風呂・浴槽・ユニットバスの形成構成からフレーム及び形成体と同一材質で構成・形成でき特別な処置を有しない為、ホーロー・プラチック・樹脂・ＦＲＰ・木・石・コンクリート・鉄・合金・アルミ・ステンレス・ｅｔｃ．により構成確認及び形成に特別な制約を受けない為、特別な装置材を必要としない耐久性と製品に影響を及ぼさない範囲で製造構成・制作され風呂蓋浴槽内保温密閉装置の施工方法は設計・制作され、設備設計され追加加工・新設計よる遮断・断熱・保温・密閉性能は損なわれずに装備が可能である事を特徴とする請求項１に記載の風呂蓋浴槽内保温密閉装置及び施工方法。
【請求項７】
風呂蓋浴槽内保温密閉装置及び施工方法では、本発明の実施形態を風呂蓋に及び施工方法での風呂・浴槽・ユニットバスに常備型・分離型真空ポンプ装置をその様式に関わらず設備する事により、貯槽密閉された液体は真空作用により遮断配管からの液体の流出は無き遮断弁により密閉され風呂蓋浴槽内保温密閉装置真空解放後の液体の流出は無い為使用後の風呂並びに浴槽で使用された液体でも非常用防災水として利用が可能である事を特徴とする請求項１に記載の風呂蓋浴槽内保温密閉装置及び施工方法。
【請求項８】
風呂蓋浴槽内保温密閉装置及び施工方法では、風呂蓋と風呂・浴槽内の液体に生じる真空特性により、風呂蓋浴槽内保温密閉装置装着時天地逆エネルギー作用に対し対応可能となりユニットバスルーム・風呂・浴槽の横転・災害加重圧・災害エネルギーに左右される事無くその密閉率を維持し内部液体の流出を抑える特性を持つ様に設計・制作され設備設計され追加加工・新設計よる遮断・断熱・保温・密閉性能は損なわれずに装備が可能である事を特徴とする請求項１に記載の風呂蓋浴槽内保温密閉装置及び施工方法。
【請求項９】
風呂蓋浴槽内保温密閉装置及び施工方法では、既存の風呂蓋の構造では滑り・破損・転落によりあらゆる人体へ及ぼすダメージエネルギーの危険性から人体を保護する必要性があるが安全性・耐久性実現する風呂蓋装置及び施工方法・理論は現存しなかった為、過去の怪我をする事実・事例の危険指定物と知りながら使用され続けられ、従来の製造方法・使用方法で死亡事故を含む危険を促す危険性の事実がある以上、危険物と知りながら放置並びに設計計算のされていない風呂蓋を使用し風呂蓋浴槽内保温密閉装置及び施工方法を施していない製品・使用及び会社・使用を強要した業者・者・注意喚起怠った組織・個人には過失があり、この風呂蓋浴槽内保温密閉装置及び施工方公開以後は、危険物使用行使にあたる上記の理由により本発明の風呂蓋浴槽内保温密閉装置及び施工方法の存在を認識して制作された事項とされ、ＰＬ法施行以後の製品の使用又は製造・認識放置・危険構造変更した事と認知し、製造物責任法により被害を受けた被害者が製品・商品を作った、会社・施工・使用責任者に対し責任を追及し製品の欠陥により人の命、身体または財産に障害が生じた場合に製造者等が被害者に対して負う損害賠償責任定めた民事特別法で、全９条からなる、１９９４年７月に公布で、９５年７月１日から施行によるＰＬ法に基づく賠償責任は免れられない。
【発明の詳細な説明】
【技術分野】
【０００１】
本発明は、既存するあらゆる風呂・浴槽含む保温を必要とする液体空間の冷却低下を抑制する装置でエネルギー消費を抑制し、風呂蓋の破損による事故抑制し安全性・エネルギー消費率の向上に関するものである。
【背景技術】
【０００２】
現在の既存するあらゆる風呂・浴槽含む保温を必要とする液体空間の冷却低下には浴槽本体の容器の保温処置はなされているが、液体は下部の温度が低く上部に行くほど液体の温度は高くなる傾向があるが風呂・浴槽などでは液体空間の冷却低下を抑制することは不可能で風呂蓋による保温密閉はできなかった為エネルギー消費を抑制できなかった。
【０００３】
現状では風呂蓋の破損による事故により死亡事故も発生しており、形成強度の持った風呂蓋は存在しなかった、人体保護要素は無く簡易的保温設備を有する物や温度低下緩和装置の設備のある物が存在するが従来の方法・設備では適切なエネルギー消費の抑制及び危険部回避が出来ておらず、液体が１５センチ有ると人間は溺死する恐れがあり人体への危険性を回避する対策は無く、尚現存する保温緩和装置では簡易的な効果無効な物や複雑な構造を持つが為に、汎用面でもコスト面でも現実に普及ない実状があり危険な状態での使用が黙認され日常的に危険要素が継続されている。
【０００４】
現存する既存の風呂・浴槽含む蓋は保温を必要とする液体空間の冷却低下抑制と自体の破損要素抑制の両立が必要となるが、設備設置の重量軽減を重視されるが既存技術では風呂蓋の保温断熱は不可能で、保温設備とする物・総称するもあるが実際の効果は低く、人体保護要素は無く死亡事例が有るにも拘らず適切な人体への保護対策は何もされていない現状があり、この事実によりこの発明に至った、この事により危険指定部位と知りながら放置並びに保護処置のされていない装置・適切な施工・加工を施した、製品・建造物及び補強施工した業者には、この風呂蓋浴槽内保温密閉装置及び施工方法公開以後は危険部位認知後の製造・加工・施工となりＰＬ法施行以後の製造・加工・施工・工程は認識があり構造変更した事となり製造物責任法により、被害を受けた被害者が商品・製品・構造を作った会社・施工責任者に対し責任を追及し、企業に損害賠償を求められる事態となる恐れがある。
【０００５】
先行技術として示した特許文献１は、風呂蓋の収納を考えた構造であり構造体の強度効果・保温特性に特化したものでなく、本発明の様に既存するあらゆる風呂・浴槽含む保温を必要とする液体空間の冷却低下を抑制する装置でエネルギー消費を抑制し風呂蓋の破損による事故抑制し安全性・エネルギー消費率の向上に関する事を狙いとしたものではない。
【先行技術文献】
【特許文献】
【０００６】
【特許文献１】特開２００２−１７７１５８号公報
【発明の概要】
【発明が解決しようとする課題】
【０００７】
前途した、現存するあらゆる既存するあらゆる風呂・浴槽含む保温を必要とする液体空間の冷却低下には浴槽本体の容器の保温処置はなされているが、液体は下部の温度が低く上部に行くほど液体の温度は高くなる傾向があるが風呂・浴槽などでは液体空間の冷却低下を抑制することは不可能で風呂蓋による保温密閉はできなかった為エネルギー消費を抑制出来なく風呂蓋の破損による事故により死亡事故も発生しており、形成強度の持った風呂蓋は存在しなかった為人体保護要素は無く簡易的保温設備を有する物や温度低下緩和装置の設備のある物が存在するが従来の方法・設備では適切なエネルギー消費の抑制及び危険部回避が出来ておらず汎用面でもコスト面でも現実に普及ない実状があり実際に障害事故が発生し・死亡事故も及ぼした事の事実があり、実際の起こりうる障害事故に対して無防備であった。
下記に述べる問題点が存在する。
従来の方法での現在既存する技術では風呂・浴槽含む保温を必要とする液体空間の冷却低下を抑制するには、浴槽本体の容器の保温処置はなされているが、液体は下部の温度が低く上部に行くほど液体の温度は高くなる傾向があるが風呂・浴槽などでは風呂蓋による液体の表面面積から放出かれる液体自体の熱エネルギーを抑制するのは不可能で液体と液体との空間の冷却低下を抑制することは風呂蓋の構造上保温密閉はできなかった為、熱エネルギー放出及び消費を抑制できなかった為効果的で電気・ガス・燃料などによる外部エネルギーに頼らない装置が必要であった。
【０００８】
現状では風呂蓋の破損による事故により死亡事故も発生しており、形成強度の持った風呂蓋は存在しなかった為、人体生命保護要素は無く簡易的保温設備を有する物や温度低下緩和装置の設備のある物が、存在するが従来の方法・設備では適切なエネルギー消費の抑制及び破損による危険部回避が出来ておらず、液体が１５センチ有ると人間は溺死する恐れがあり人体への危険性を回避する対策は無く、尚現存する保温緩和装置では簡易的な効果無効な物や熱エネルギーを必要とする物、設備が複雑な構造を持つが為に汎用面でもコスト面でも現実に普及ない実状があり危険な状態での使用が黙認され日常的に危険要素が継続されている為日常生活の危険防止や幼児及び高齢化社会に対応する商品開発が必要となった。
【０００９】
現存する既存の風呂・浴槽含む風呂蓋には保温を必要とする液体との空間の冷却低下抑制と自体の破損要素抑制の両立が必要となるが、設備設置の重量軽減を重視されるが為に既存技術では風呂蓋の保温断熱は不可能で、保温設備とする物・総称するもあるが実際の効果は低く人体生命保護要素は無く死亡事例が有るにも拘らず適切な人体への保護対策は何もされていない現状がありこの事実によりこの発明に至った、人体へ及ぼすダメージエネルギーの危険性から人体を保護する必要性があるが、構造体の形成制限・形成状態からダメージ・熱エネルギーを放出抑制軽減さすことは不可能で当初の設計理念保ち保温性・破壊抑制力・熱エネルギー放出抑制・収納性を両立し風呂蓋浴槽内保温密閉装置及び施工方法での浴槽構造貢体を利用し安全性と耐久性を導き出す事が出来なかった、その保温性・破壊抑制力・熱エネルギー放出抑制・収納性・安全性・耐久性実現する風呂蓋浴槽内保温密閉装置及び施工方法理論は現存しなかった為、過去の怪我をする事実・事例の危険部位指定物と知りながら使用され続けられ、従来の製造方法・使用方法で死亡事故を含む危険を促す危険性の事実がある以上、危険物と知りながら放置並びに設計計算のされていない風呂蓋浴槽内保温密閉装置を制作・使用し風呂蓋浴槽内保温密閉装置及び施工方法での、施工を施していない製品・使用及び会社・使用を強要した業者・者には、この風呂蓋浴槽内保温密閉装置及び施工方法公開以後は、危険物・危険部位使用行使にあたり、ＰＬ法施行以後の製品の使用又は製造・認識放置・危険構造変更した事と認知し、製造物責任法により被害を受けた被害者が製品・商品を作った、会社・施工・使用責任者に対し責任を追及し製品の欠陥により人の命、身体または財産に障害が生じた場合に製造者等が被害者に対して負う損害賠償責任定めた民事特別法で、全９条からなる、１９９４年７月に公布で、９５年７月１日から施行、よるＰＬ法に基づく賠償責任は免れられない。
本発明は、前述の欠点を解決しようとするものである。
【課題を解決するための手段】
【００１０】
本発明は、その課題を解決する為に以下のような構成をとる。
風呂・浴槽部の開口部・表面大開口部分に脱着可能なカバーを浴槽上面設置し、その保温断熱密閉風呂蓋カバーにより、開口部・浴槽表面大開口部分からの液体の流出・温度低下や液体表面熱エレルギー放出抑制・製品破損による人体の及ぼす障害を防ぎ、エネルギー消費を抑制促進する省エネルギー対策及び製品事故の自主防衛の為の設備を備える。
【００１１】
風呂・浴槽部・ユニットバスでは製品の形状上浴槽部形成体上部最長面は水平構造で形成されてなく液体を斜形面により排出する構造を用いた様式が多く風呂蓋による保温密閉の維持は出来ない為、密閉が維持出来ず浴槽内空間と液体温度の保温断熱密閉が不可能で、強度構成体を持たない風呂蓋にパッキン構造を持たせ風呂蓋自体をリブ構造で構造事態が二本のリブで形成強度を支え合う構造を持つ風呂蓋であり形成強度が高く、浴槽内保温密閉装置とし製品の変形も少なくリブがパッキンを押す構造の為変形が無く広範囲での、浴槽範囲を覆う風呂蓋の制作が可能となり風呂蓋自体の強度があり転落事故にも考慮し耐久性にも問題ない既存の風呂・浴槽開口部に簡単に装着出来、気密断熱性能は損なわれずに脱着が可能となる。
【００１２】
本発明である風呂蓋浴槽内保温密閉装置及び施工方法は風呂・浴槽内を風呂蓋浴槽内保温密閉装置により、内部液体内の酸素を減圧する構造がとれ真空ポンプの併用により内部液体の保温時間を維持する事が可能となる真空ポンプには、ロータリーポンプ・ダイヤフラムポンプ・拡散ポンプ・ソープションポンプ・イオンポンプ・ターボ分子ポンプなど色々な種類がありますポンプによって、到達真空度や真空にする速度、真空の密度に違いがあり真空に程度があるというと不思議に思うかもしれませんが、大気圧よりも低い圧力状態のことをおおざっぱに真空と呼びます、もっと厳密に真空の程度を示すのには圧力を用います、圧力の単位はPaで１平方メートルに約10kg の力がかかったのと等価な圧力が１ Pa です。大気圧１気圧は１０１ｋ Pa 程度になり水の室温２７℃での圧力は3.5kPa なので、真空ポンプでこの圧力まで減圧すると水は沸騰する論理になり風呂蓋浴槽内保温密閉装置及び施工方法のより密閉空間を形成すると完全真空の必要性は無く浴槽内空間気温が低下すると、空間真空度は加速され空気密度は低く成り浴槽内保温時間を維持継続する事が可能となる。
【００１３】
風呂蓋浴槽内保温密閉装置及び施工方法では、真空減圧特性維持による保温密閉遮断特性を持つ構造で風呂・浴槽内を風呂蓋浴槽内保温密閉装置により、内部液体内の酸素を減圧する構造過程を常設する真空ポンプ等で行う為、非常時・災害時排水ポンプ及び空気導入・換気に使用転用が可能である構造を有する事を特徴とし風呂蓋と風呂・浴槽内の液体に生じる真空特性により、風呂蓋浴槽内保温密閉装置装着時天地逆エネルギー作用に対し対応可能となりユニットバスルーム・風呂・浴槽の横転・災害エネルギーに左右される事無くその密閉率を維持し内部液体の流出を抑える特性を持つ緊急災害対策装置として有効である。
【００１４】
風呂蓋浴槽内保温密閉装置及び施工方法では完全真空状態を必要としないが、減圧過程において形成強度が必要となりリブ形成で強度を保ち減圧効果を上げる為二重リブ構造が望ましい風呂蓋浴槽内保温密閉装置は二重リブ構造を有する二重リブ形成強度体であり既存の風呂・浴槽の開口位置に遮断保温密閉装置である風呂蓋浴槽内保温密閉装置を設置することを特色とした、二重リブパッキ体が二本のリブで形成強度を支え合う構造を持つ風呂蓋であり構造的には、ゴムパッキンを二本のリブで  風呂蓋浴槽内保温密閉装置を減圧により吸着さす構造と気圧・形成物自体の形状・変形にも考慮し、また風呂蓋である構造上脱着可能な必要性があり浴槽の性能に干渉されない範囲で形成される、風呂・浴槽の形成部構造素材（プラスチック・アルミ・鉄・鋳物・etc.）が何であっても、その浴槽及び開口部自体を覆いリブパッキン構造となり、保温対策と同時に気密遮断性を保て浴槽開口部の破損及び事故を防止する、簡易的な風呂蓋が目的である開閉式の従来の製品とは、明らかに違う構造を取るものであり製品自体が二重リブパッキン構造を有する構造体であり二本のリブが、圧着リブが二本存在する事により互いに作用し加重圧力が分散され、製品の形成強度が保てるリブにより形成強度を支え合う構造を持つ強度のある風呂蓋浴槽内保温密閉装置及び施工方法であり、開口部からの液体熱エネルギー放出を抑制出来る、現在存在する浴槽のあらゆる材質や形状に対応した風呂蓋浴槽内保温密閉装置及び施工方法・開口部カバーであり、保温遮断断熱密閉性に優れた構造を持ち風呂蓋浴槽内保温密閉装置は、新製品に本機能を有する構造をあらかじめ装着すること以外にも構造が単純なことから、あらゆる風呂・浴槽部の開口部にも施工を施せる構造がとれ既存の風呂・浴槽部開口部に設置でき、その汎用性も高い。
【００１５】
風呂蓋である構造上強度認識出来ない幼児・老人が風呂蓋に加重を及ぼす危険性は否めず、特殊な体形例外はあるが加重運動エネルギー耐える構造体を必要とするが既存の製品では基準には到達しない、その事実により既存の製品により実験を試みたが人体保護の確認ができた製品は存在しない、取り付け構造は浴槽部の形成全長を考慮し、また収納状態に干渉されない風呂蓋浴槽内保温密閉装置の形成最突端の範囲で形成しなければならない。
【００１６】
更に、ＰＬ法施行以後の製造・加工・施工・工程は認識があり構造変更した事となり製造物責任法により、被害を受けた被害者が商品・製品・構造を作った、会社・使用責任者・施工責任者に対し責任を追及し、企業に損害賠償を求められる事態となり、風呂蓋浴槽内保温密閉装置及び施工方法での最低形成範囲を導き出す事により、効果の正当性を立証出来、運動エネルギー耐久性能を考慮し設定することのより、その効果は人体危険保護の構造をとなり、人体の加重重心移動による風呂蓋の滑りにも風呂蓋浴槽内保温密閉装置及び施工方法での真空圧着により回避出来人間構造生理学的に転倒事故を誘発しない構成となり、現存するあらゆる風呂・浴槽部の安全性の向上を図るものである。
【発明の効果】
【００１７】
本発明は、既存するどのような構造特性を有する風呂・浴槽部にも応用・適用可能でき風呂・浴槽の開口部・液体表面大開口部分に脱着可能な風呂蓋浴槽内保温密閉装置及び施工カバーを浴槽上面設置し、その保温断熱密閉風呂蓋カバーにより開口部・浴槽表面大開口部分からの液体の流出・温度低下や液体表面熱エネルギー放出抑制保温を必要とする液体空間の冷却低下抑制には現状では浴槽本体の容器の保温処置はなされているが、液体は下部の温度が低く上部に行くほど液体の温度は高くなる傾向がある風呂・浴槽などでは液体空間の冷却低下を抑制することは不可能で従来の方法・設備では風呂蓋による保温密閉による適切なエネルギー消費の抑制出来ず、省エネ対策の根本的対策に及んでいなかった、風呂・浴槽部・ユニットバスでは製品の形状上浴槽部形成体上部最長面は水平構造で形成されてなく液体を斜形面により排出する構造を用いた様式が多く風呂蓋による保温密閉の維持は出来ない為、密閉が維持出来ず浴槽内空間と液体温度の保温断熱密閉が不可能で、強度構成体を持たない風呂蓋にパッキン構造を持たせ風呂蓋自体をリブ構造で構造事態が二本のリブで形成強度を支え合う構造を持つ風呂蓋であり形成強度が高く、浴槽内保温密閉装置とし熱エネルギー消費を抑制促進する省エネルギー対策製品で変形も少なくリブがパッキンを真空減圧で押す構造の為変形が無く広範囲での、浴槽範囲を覆う風呂蓋の制作が可能となり風呂蓋自体の強度があり実験耐久性にも問題ない結果を得た。
【００１８】
本発明である風呂蓋浴槽内保温密閉装置及び施工方法は真空減圧特性による保温密閉遮断特性を持つ構造で風呂・浴槽内を風呂蓋浴槽内保温密閉装置により、内部液体内の酸素を減圧する構造がとれ真空ポンプの併用により内部液体の保温時間を維持する事が可能となる真空ポンプには、ロータリーポンプ・ダイヤフラムポンプ・拡散ポンプ・ソープションポンプ・イオンポンプ・ターボ分子ポンプなど色々な種類がありポンプによって到達真空度や真空にする速度、真空の密度に違いがあり真空に程度がある不思議に思うかもしれませんが、大気圧よりも低い圧力状態のことをおおざっぱに真空と呼びます、もっと厳密に真空の程度を示すのには圧力を用います、圧力の単位はPaで１平方メートルに約10kg の力がかかったのと等価な圧力が１ Pa です。大気圧１気圧は１０１ｋ Pa 程度になり水の室温２７℃での圧力は3.5kPa なので、真空ポンプでこの圧力まで減圧すると水は沸騰する論理になり風呂蓋浴槽内保温密閉装置及び施工方法のより密閉空間を形成すると完全真空の必要性は無く浴槽内空間気温が低下すると、空間真空度は加速され空気密度は低く成り浴槽内保温時間を維持継続する事が可能となり電気・ガス・燃料などによる外部エネルギーに頼らない装置が可能である。
【００１９】
風呂蓋浴槽内保温密閉装置及び施工方法では完全真空状態を必要としない減圧過程において貢体破損防止の為形成強度が必要となり実験により想定減圧耐久構造範囲は想定出来使用ポンプの性能うにより過剰減圧による破損は無い設計強度理念を用いて制作構成され風呂蓋浴槽内保温密閉装置ではリブ形成で強度を保ち減圧効果を上げる為二重リブ構造が望ましい風呂蓋浴槽内保温密閉装置は二重リブ構造を有する二重リブ形成強度体であり既存の風呂・浴槽の開口位置に遮断保温密閉装置である風呂蓋浴槽内保温密閉装置を設置することを特色とした、二重リブパッキ体が二本のリブでお互いの形成強度を支え合う構造を持つ風呂蓋であり構造的には、ゴムパッキンを二本のリブで風呂蓋浴槽内保温密閉装置を減圧により吸着さす構造と気圧・形成物自体の形状・変形にも考慮し、また風呂蓋である構造上脱着可能な必要性があり浴槽の性能に干渉されない範囲で形成される、風呂・浴槽の形成部構造素材（プラスチック・ＦＲＰ・アルミ・鉄・鋳物・etc.）が何であっても、その浴槽及び開口部自体を覆いリブパッキン構造となり保温対策と同時に気密遮断性を保て浴槽開口部の破損及び事故を防止する、簡易的な風呂蓋が目的である開閉式の従来の製品とは、明らかに違う構造を取り製品自体が二重リブパッキン構造を有する構造体であり二本のリブが、圧着リブが二本存在する事により互いに作用し加重圧力が分散され、製品の形成強度が保てるリブにより形成強度を支え合う構造を持つ強度のある風呂蓋浴槽内保温密閉装置及び施工方法であり、開口部からの液体熱エネルギー放出を抑制出来る、現在存在する浴槽のあらゆる材質や形状に対応した風呂蓋浴槽内保温密閉装置及び施工方法・開口部カバーであり、保温遮断断熱密閉性に優れた構造を持ち風呂蓋浴槽内保温密閉装置は、新製品に本機能を有する構造をあらかじめ装着すること以外にも構造が単純なことから、あらゆる風呂・浴槽部の開口部にも施工を施せる構造がとれ既存の風呂・浴槽部開口部に設置できその汎用性も高い。
【００２０】
風呂蓋である構造上強度認識出来ない幼児・老人が風呂蓋に加重を及ぼす危険性は否めず、特殊な体形例外はあるが加重運動エネルギー耐える構造体を必要とするが既存の製品では基準には到達しない、その事実により既存の製品により実験を試みたが人体保護の確認ができた製品は存在しない、取り付け構造は浴槽部の形成全長を考慮し、また収納状態に干渉されない風呂蓋浴槽内保温密閉装置の形成最突端の範囲で形成しなければ成らず製品破損による人体の及ぼす障害を防ぎ、エネルギー消費を抑制促進する省エネルギー対策及び製品事故の自主防衛の為の設備である外部衝撃にも強い形成体である風呂蓋浴槽内保温密閉装置及び施工方法では製品自体が二重リブパッキン構造を有する構造体であり二本のリブが、圧着リブが二本存在する事により互いに作用し加重圧力が分散され、製品の形成強度が保てるリブにより形成強度を支え合う構造を持つ強度のある風呂蓋浴槽内保温密閉装置は二重リブ構造を有する二重リブ形成強度体である為その効果は人体危険保護の構造をとなり、人体の加重重心移動による風呂蓋の滑りにも風呂蓋浴槽内保温密閉装置及び施工方法での真空圧着により回避出来人間構造生理学的に転倒事故を誘発しない構成となり、現存するあらゆる風呂・浴槽部の安全性の向上を図るものである。
【００２１】
風呂蓋と風呂・浴槽内の液体に生じる真空特性を利用して、風呂蓋浴槽内保温密閉装置装着時の発生しうる災害エネルギーを想定し、真空効果により風呂・浴槽内の密閉は維持され天地逆エネルギー作用に対し対応可能となりユニットバスルーム・風呂・浴槽の横転・災害エネルギーに左右される事無くその密閉率を維持し内部液体の流出を抑える特性を持つ様に設計・制作され設備設計され追加加工・新設計よる遮断・断熱・保温・密閉性能は損なわれずに装備が可能である。
【００２２】
既存の風呂蓋の構造では滑り・破損・転落によりあらゆる人体へ及ぼすダメージエネルギーの危険性から人体を保護する必要性があるが、構造体の形成状態・構造範囲制限からダメージ・運動エネルギーを軽減さすことは不可能で、当初の設計理念保ち耐久性・強度・収納性を両立し構造貢体を利用し安全性と耐久性を導き出す事が必要となる、その保温密閉性・収納性・安全性・耐久性実現する  風呂蓋浴槽内保温密閉装置及び施工方法シ・理論は現存しなかった為、過去の怪我をする事実・事例の危険指定物と知りながら使用され続けられ、従来の製造方法・使用方法で死亡事故を含む危険を促す危険性の事実がある以上、危険物と知りながら放置並びに設計計算のされていない風呂蓋を使用し風呂蓋浴槽内保温密閉装置及び施工方法を施していない製品・使用及び会社・使用を強要した業者・者・注意喚起怠った組織・個人には過失があり、この  風呂蓋浴槽内保温密閉装置及び施工方公開以後は、危険物使用行使にあたる上記の理由により本発明の風呂蓋浴槽内保温密閉装置及び施工方法の存在を認識して制作された事項とされ、ＰＬ法施行以後の製品の使用又は製造・認識放置・危険構造変更した事と認知し、製造物責任法により被害を受けた被害者が製品・商品を作った、会社・施工・使用責任者に対し責任を追及し製品の欠陥により人の命、身体または財産に障害が生じた場合に製造者等が被害者に対して負う損害賠償責任定めた民事特別法で、全９条からなる、１９９４年７月に公布で、９５年７月１日から施行、よるＰＬ法に基づく賠償責任は免れられない。
【図面の簡単な説明】
【００２３】
【図１】本発明の実施形態を示す風呂蓋浴槽内保温密閉装置及び施工方法の実施施工例の分解立体模式図である。
【図２】本発明の実施形態を示す風呂蓋浴槽内保温密閉装置及び施工方法の実施施工例の立体模式図である。
【図３】本発明の実施形態を示す風呂蓋浴槽内保温密閉装置及び施工方法荷の実施状態の正面図である。
【図４】本発明の実施形態を示す風呂蓋浴槽内保温密閉装置及び施工方法での減圧負荷重の実施施工例の側面図及び運動エネルギー分散接触最先端部指定図である。
【図５】本発明の実施形態を示す風呂蓋浴槽内保温密閉装置及び施工方法範囲組み合わせ断面及び大部分分解図である。
【図６】本発明の実施形態を示す風呂蓋浴槽内保温密閉装置及び施工方法の実施施工例の取り付け減圧により２本のリブがゴムパッキンをリブ形成体で生じる、保温遮断密閉効果の過程を示す模式図である。
【図７】本発明の実施形態を示す風呂蓋浴槽内保温密閉装置及び施工方法での外部加圧・重圧・加重に置ける圧力に対する対策装置である事を示す模式図である。
【図８】本発明の実施形態を示す風呂蓋浴槽内保温密閉装置及び施工方法での取り付け圧力に有する圧着リブが２本存在する事により互いに作用し加重圧力が分散され製品の形成強度が保てる事を示す大部分分解図である。
【図９】本発明の実施形態を示す風呂蓋浴槽内保温密閉装置及び施工方法での取り付け圧力に有する圧着リブが２本存在する事により互いに作用し加重圧力が分散され製品の形成強度が保てる事を示す断面及び立体分解図である。
【図１０】本発明の実施形態を示す風呂蓋浴槽内保温密閉装置及び施工方法での中空ゴムパッキンを使用することにより、風呂・浴槽の変形などによる障害に対する製品の圧着力を向上させ均等にリブ面を圧着さす事の過程を示す模式図である。
【図１１】本発明の実施形態を示す風呂蓋浴槽内保温密閉装置及び施工方法での代表的なロータリー真空ポンプ揺装置構造例である。
【図１２】本発明の実施形態を示す風呂蓋浴槽内保温密閉装置及び施工方法での代表的な回転翼型ドライ真空ポンプ揺装置構造例である。
【図１３】本発明の実施形態を示す風呂蓋浴槽内保温密閉装置及び施工方法での代表的な揺動ピストン型ドライ真空ポンプ装置構造例である。
【図１４】本発明の実施形態を示す風呂蓋浴槽内保温密閉装置及び施工方法での真空ポンプによる減圧時の保温断熱密閉状態を示す模式図である。
【図１５】本発明の実施形態を示す風呂蓋浴槽内保温密閉装置及び施工方法での減圧及び解放の実施形態模式図である。
【図１６】本発明の実施形態を示す風呂蓋浴槽内保温密閉装置及び施工方法での風呂蓋常備型真空ポンプ施工例を示す模式図である。
【図１７】本発明の実施形態を示す風呂蓋浴槽内保温密閉装置及び施工方法での風呂蓋別体型真空ポンプ施工例を示す模式図である。
【図１８】本発明の実施形態を示す風呂蓋浴槽内保温密閉装置及び施工方法での取り付け器具及びパッキン接合面を壁面に吸着し収納した過程を示す模式図である。
【図１９】本発明の実施形態を示す風呂蓋浴槽内保温密閉装置及び施工方法での風呂・浴槽への取り付け状態液体・浴槽許容範囲時で天地逆状態の破水抑制エネルギー過程を示す模式図である。
【図２０】本発明の実施形態を示す風呂蓋浴槽内保温密閉装置及び施工方法での風呂・浴槽常備型真空ポンプ装置を示す模式図である。
【発明を実施するための形態】
【００２４】
以下、本発明の実施の形態を図１〜図２０に基づいて図面を参照しながら本発明を実施するための最良の形態について詳細に説明する。
【実施例】
【００２５】
図１・２・３・４・５に示すように、本発明実施例の風呂蓋浴槽内保温密閉装置１（各種造形が可能）の組み立て構造は、風呂蓋浴槽内保温密閉装置１形成する、（図６・７・８・９・１０参照）外周リブ第一形成リブ２、内周リブ第二形成リブ３から構成されるリブ形成強度体４を備え、第一形成リブ２内縁上内、第二形成リブ３外縁上内それらを備える総合リブ形成強度体４内部に、加圧ゴム形成体５を含む弾性体中空ゴムパッキン６を装備する（図７・８・９・１０参照）第一形成リブ２、第二形成リブ３から構成される総合リブ形成強度体４は自体をリブ構造で構造事態が二本のリブ２・３で形成強度を支え合う構造４を持つ風呂・浴槽９の開口部の風呂蓋である風呂蓋浴槽内保温密閉装置１風呂蓋浴槽内保温密閉装置及び施工方法での強度形成体であり減圧３０による製品の変形も少なく摩擦エネルギー影響部位２７としての効果中空ゴムパッキン加圧状態７より導き出せをリブ２・３が中空ゴムパッキン６を減圧・真空状態２０の力により大気圧２３と反発し風呂蓋浴槽内保温密閉装置１の総合リブ形成強度体４が第一形成リブ及び第二形成リブ３が加圧ゴム形成体５に作用し中空ゴムパッキン６を押し中空ゴムパッキン加圧状態７となる総合リブ形成強度体４を含む風呂蓋浴槽内保温密閉装置１で押す構造の為変形が無く広範囲での形成強度のその内縁面が、弾性体中空ゴムパッキン６の圧力停止盤の役割を保ち風呂・浴槽９の開口部に風呂蓋浴槽内保温密閉装置１が及ぼすリブ圧力を、第一形成リブ２、第二形成リブ３のリブ形成貢体総合リブ形成強度体４の頂点加圧部２・３の先端が弾性体中空ゴムパッキン６を直接加圧３１し（図８・９・１０参照）総合リブ形成強度体４から発生する取り付けリブ加力３１による中空ゴムパッキン６に及ぼす加圧３１を均等化する。
【００２６】
風呂・浴槽９の（図１・２・５参照）開口部に設けられた形状風呂・浴槽縁内部斜形１１・風呂・浴槽縁部外部斜形１２・風呂・浴槽縁部山型斜形１３に対して水平基準線２９を基準とし開口部・風呂蓋浴槽内保温密閉装置１圧着調整取り付けは真空ポンプ６１加圧３１・減圧３２調整する物であり完全な真空３３状態を導き出す物ではなく各種造形手動・動力６０及び様式製品工法の特定する物ではない、取り付け減圧・真空２０効果により加圧３１調整された、風呂蓋浴槽内保温密閉装置１で風呂・浴槽９内の液体２２を閉塞さす、風呂蓋浴槽内保温密閉装置１を装着する（図  参照）風呂蓋浴槽内保温密閉装置１に設けられた、気密遮断性能を高める為、風呂・浴槽の緑面は中空ゴムパッキン６を含む圧着面より大きく・バスルーム全長より小さく形成は風呂蓋浴槽内保温密閉装置１のリブ高２・３と中空ゴムパッキン６のリブ高２・３より導き出される負圧加重範囲の直径より長く、中空ゴムパッキン加圧状態７の最大価値減圧・真空状態２０であっても、風呂・浴槽減圧真空装置１８作動時の全長より、中空ゴムパッキン加圧状態７施された減圧エネルギー２５は取り付けに対して運動エネルギー影響部位２６・運動エネルギー影響部位２７・加重エネルギー影響部位２８を考慮し取り付けてはならないこれを製品の圧着圧力調整委範囲と摸する。
【００２７】
風呂蓋浴槽内保温密閉装置１を風呂・浴槽９を装着する過程における、操作手順を以下に説明する、（図５・１０参照）風呂・浴槽９はその形状材質が様々で各種造形が可能図面上リブ２・３の位置・数とも制限は無い為に風呂蓋浴槽内保温密閉装置１装備したものを挿入（各種造形が可能）特別な加工工程必要としない如何なる工法・工程で有っても（図１・２・３・４・６・７・１４・１５参照）風呂蓋浴槽内保温密閉装置１８による減圧・真空状態２０を導く為風呂・浴槽９から大気圧２４真空ポンプ６１により吸気弁４０より排出し密閉調整しながら加圧減圧３２密着させて行く過程で、中空ゴムパッキン６内の負圧圧着状態７では中空ゴムパッキン７の中空部の負圧と（図８・９参照）形成リブ強度体２・３・５からのエネルギー伝達により、（図５・１０参照）取り付け形成加圧面リブ不均等１４・取り付け形成加圧面波状面体１５・取り付け形成加圧面左右・上下不均等１６状態でも密閉遮断性を段に上げる事に成功したと同時に（図８・９参照）風呂蓋浴槽内保温密閉装置１に総合リブ形成強度体４を備え、第一形成リブ２、第二形成リブ３それらを備え総称する総合リブ形成強度体４のより、形成高度は向上した風呂蓋浴槽内保温密閉装置１であり形成強度が高く、外的加重による製品の変形も少い、適正装着後、目視又は指なので密閉圧着確認が可能で、外部第一形成リブ体２の圧力を中空ゴムパッキン加圧状態７を確認出来れば、その構造上密閉圧状態を維持出来る大気解放状態２１はポンプの様式に事なり真空解放弁３４・減圧解放弁５２を用いて行う。
【００２８】
図１４・１５・１６・１７・２０で示すように、風呂蓋浴槽内保温密閉装置１の取り付け方法は（各種造形が可能）風呂蓋加工・浴槽加工・全ての密着加工を含む加工工程は如何なる工法であっても、であっても真空ポンプ６１真空ポンプ６０が如何なる形状、吸気弁３６減圧ホース５３で風呂蓋浴槽内保温密閉装置１を第一形成リブ２第二形成リブ３から構成される総合リブ形成強度体４から生じる、弾性体加圧ゴム形成体５中空ゴムパッキン６への圧力を中空ゴムパッキン加圧状態７を中空ゴムの持つ負圧圧力を作用させ最良の状態で加圧３１圧着し装着する事が可能である。
【００２９】
図７に示すように、過去の災害における状況とデーターにより今後想定される災害を想定し実験を敢行し、風呂・浴槽９に風呂蓋浴槽内保温密閉装置１を装着し、水災害（１トン）の水を想定し時速（５０キロ）に加速させ運動エネルギー１７の衝撃を亜真空３３密着を保ち（完全なる真空でない）風呂・浴槽９内部減圧・真空状態２０中空ゴムパッキン加圧状態７で衝撃に耐える構造体とした、衝撃実験における、風呂蓋浴槽内保温密閉装置１に、上部（弾性体）加圧ゴム形成体５は亜真空３３密着を保ち減圧・真空状態２０による圧力により、圧力停止盤を含む総合リブ形成強度体・加圧リブ２・３・４のリブ圧力を中空ゴムパッキン６に取り付け圧力を広範囲で均等に伝達でき、上部加圧ゴム形成体５の形成変体によりリブ圧力を効果的に加圧され、密閉気密性能を風呂・浴槽９横転状態で長時間（４８時間）維持出来、災害想定時間内維持できた、また風呂蓋浴槽内保温密閉装置１の第一形成リブ２、第二形成リブ３から構成される総合リブ形成強度体４は自体をリブ構造で構造事態が二本のリブで形成強度を支え合う構造を持つ事を証明する為、家屋倒壊を想定し想定し１０トントラック（アスファルト時速５キロ）を通過させ風呂蓋浴槽内保温密閉装置１の強度を確認した（各種造形が可能）加工工程は如何なる工法であっても、運動エネルギー影響部位２６・摩擦エネルギー影響部位２７・加重エネルギー影響部位２８に損傷影響を確認されない為人体３０（平均体重６０キロと仮定しその３倍を安全基準とし）１８０キロの運動エネルギーの許容範囲とした、実験の結果横転・天地逆であっても、破損・液体の漏れは確認されずその製品強度を確認した。
【００３０】
風呂・浴槽９中の液体２２は上層部が高温・下層部が低温と成る為メーカーの施す風呂・浴槽９の風呂・浴槽保温断熱材１０では開口部の液体２２の温度維持を既存の簡易的風呂蓋では維持出来なかったが風呂蓋浴槽内保温密閉装置１を風呂・浴槽９に風呂・浴槽減圧真空装置１８で大気圧２４を遮断すると保温維持出来るこれは、真空の密度に違いがあり亜真空３３状態に程度があり大気圧２４よりも低い圧力状態のことをおおざっぱに真空と呼び厳密に真空の程度を示すのには圧力を用います、圧力の単位はPaで１平方メートルに約10kg の力がかかったのと等価な圧力が１ Pa です。大気圧１気圧は１０１ｋ Pa 程度になり水の室温２７℃での圧力は3.5kPa なので、真空ポンプ６１でこの圧力まで減圧すると水は沸騰する論理になり風呂蓋浴槽内保温密閉装置１及び施工方法のより密閉空間を形成すると完全真空３３の必要性は無く風呂・浴槽９内空間気温が低下すると、空間真空度は加速され空気密度は低く成り浴槽内保温時間を維持継続する事が可能となる。
【００３１】
本実施例において（図１８参照）風呂蓋浴槽内保温密閉装置１製品が脱着吸着可能の為バスルームの壁面に吸着が可能で災害が想定される場合は、災害用水として活用出来、防災予防装備とし生活設備の一環として利用過程を示す模式図で示す通りその収納場所に制約を受けない、日常的に風呂蓋とし風呂蓋浴槽内保温密閉装置１使用する為（各種造形が可能）防災用品としてその影響力は大きく特別の知識がなくとも装着・脱着が可能である為その汎用性が高い。
【００３２】
図１１・１２・１３・１６１７に示すように、真空ポンプ６１（揺動ピストン型ドライ真空ポンプ・回転翼型ドライ真空ポンプ・ロータリーポンプ・ダイヤフラムポンプ・拡散ポンプ・ソープションポンプ・イオンポンプ・ターボ分子ポンプ・etc．）は真空３３の密度に違いがあり真空に程度があり真空ポンプでどの圧力まで減圧３２する論理になる風呂蓋浴槽内保温密閉装置１では完全真空３３の必要性は無く目的が、液体の漏れ及び風呂蓋浴槽内保温密閉装置１の強度保温気密性なので、亜真空３３状態で良く揺動ピストン型ドライ真空ポンプ５８と回転翼型ドライ真空ポンプ５９を用いた、手動式真空ポンプ６１及び真空ポンプ動力体６０を用いても亜真空３３状態ではさほど変化・能力に問題ない結果を得た、回転翼型ドライ真空ポンプ５９シンプルな構造体でロータリーシリンダー４５を可動仕切３５で仕切りベーン４７がローター４６ト可動し吸気口３６から吸気３８し圧縮４２工程を経て排気口より排気３９する構造で減圧ホース５３にて別体様式がとれる、揺動ピストン型ドライ真空ポンプ５８は吸気弁４０・排気弁４１が必要となり減圧シリンダー４３内にピストン４４をパッキング４８状態でコネクティングロット４９の運動をＯリング５０で気密性を高め、吸気工程中間時５４・吸気工程最終時・下死点５５・排気工程中間時５６・排気工程最終時・上死点５７の工程により可動し手動ハンドル５１でも容易に操作出来る特性を持ち減圧ホース５３にて別体様式がとれ、内部液体内の酸素を減圧する構造を常設する真空ポンプ等で行う為、災害時排水ポンプ及び空気導入・換気・排水に使用転用が可能である構造を有する
【００３３】
風呂蓋の本来の使用用途である簡易保温であるが、風呂蓋の見た目の構造上強度認識出来ない幼児・老人が風呂蓋に加重を及ぼす危険性は否めず、特殊な体形例外はあるが風呂蓋に加重運動エネルギー１７耐える構造体を必要とするが既存の製品では基準には到達しない、その事実により既存の製品により実験を試みたが人体３０保護の確認ができた製品は存在しない、取り付け構造は浴槽部の形成全長を考慮し、また収納状態に干渉されない風呂蓋浴槽内保温密閉装置１の形成最突端の範囲で形成しなければ成らず製品破損による人体３０の及ぼす障害を防ぎ、エネルギー消費を抑制促進する省エネルギー対策及び製品事故の自主防衛の為の設備である外部衝撃にも強い形成体である風呂蓋浴槽内保温密閉装置１及び施工方法では製品自体が二重リブパッキン構造２・３・４を有する構造体であり二本のリブ２・３が、圧着リブが二本存在する事により互いに作用し加重圧力が分散され、製品の形成強度が保てるリブにより形成強度を支え合う構造を持つ強度のある風呂蓋浴槽内保温密閉装置１は二重リブ構造２・３を有する二重リブ形成強度体２・３．４である為その効果は人体３０危険保護の構造をとなり、人体３０の加重重心移動による風呂蓋の滑り摩擦エネルギー影響部位２７にも風呂蓋浴槽内保温密閉装置１及び施工方法での真空３３圧着により回避でき人間構造生理学的に転倒事故を誘発しない構成となり、現存するあらゆる風呂・浴槽９部の安全性の向上を図る事を特徴とする上記の理由により本発明の風呂蓋浴槽内保温密閉装置１及び施工方法の存在を認識して制作された事項とされ、ＰＬ法施行以後の製品風呂蓋の使用又は製造・認識放置・危険構造変更した事と認知し、製造物責任法により被害を受けた被害者が製品・商品を作った、会社・施工・使用責任者に対し責任を追及し製品の欠陥により人の命、身体または財産に障害が生じた場合に製造者等が被害者に対して負う損害賠償責任定めた民事特別法で、全９条からなる、１９９４年７月に公布で、９５年７月１日から施行、よるＰＬ法に基づく賠償責任は免れられない。
【００３４】
本発明名称と内容は、本発明技術内容の説明に用いたのみで、本発明を限定するものではない、本発明の精神に基づく等価応用或いは施工・工法・部品・材質・構造の転換、置換、数量の増減はすべて、本発明の保護範囲に含むものとする。
【産業上の利用可能性】
【００３５】
本発明は、製品の使用者及び対人における安全性が従来同類製品に比べ格段に高く、省エネルギー対策品であり充分な進歩を有し実用性が高く、部品点数は少なく安価での製作が可能で既存の、どのような風呂・浴槽運搬にも装着できＰＬ法対策としても充分効果があり、社会のニーズに合致しており、特許請求の要件である新規性を備え産業上の利用価値は多大なものである。
【符号の説明】
【００３６】
１      風呂蓋浴槽内保温密閉装置 
２      第一形成リブ
３      第二形成リブ
４      総合リブ形成強度体
５      加圧ゴム形成体
６      中空ゴムパッキン
７      中空ゴムパッキン加圧状態
８      中空ゴムパッキン解放状態
９      風呂・浴槽
１０      風呂・浴槽保温断熱材
１１      風呂・浴槽縁部外部斜形
１２      風呂・浴槽縁部内部斜形
１３      風呂・浴槽縁部山型斜形
１４      取り付け形成加圧面リブ不均等
１５      取り付け形成加圧面波状面体
１６      取り付け形成加圧面左右・上下不均等
１７      運動エネルギー
１８      風呂・浴槽減圧真空装置
１９      風呂・浴槽大気真空解放弁
２０      減圧・真空状態
２１      大気解放状態
２２      液体
２３      水圧
２４      大気圧
２５      減圧エネルギー
２６      運動エネルギー影響部位
２７      摩擦エネルギー影響部位
２８      加重エネルギー影響部位
２９      水平基準線
３０      人体
３１      加圧
３２      減圧
３３      真空
３４      真空解放弁
３５      可動仕切
３６      吸気口
３７      排気口
３８      吸気
３９      排気
４０      吸気弁
４１      排気弁
４２      圧縮
４３      減圧シリンダー
４４      ピストン
４５      ロータリーシリンダー
４６      ローター
４７      ベーン
４８      パッキング
４９      コネクティングロット
５０      Ｏリング
５１      ハンドル
５２      減圧解放弁
５３      減圧ホース
５４      吸気工程中間時
５５      吸気工程最終時・下死点
５６      排気工程中間時
５７      排気工程最終時・上死点
５８      揺動ピストン型ドライ真空ポンプ
５９      回転翼型ドライ真空ポンプ
６０      真空ポンプ動力体
６１      真空ポンプ（揺動ピストン型ドライ真空ポンプ・回転翼型ドライ真空ポンプ・ロータリーポンプ・ダイヤフラムポンプ・拡散ポンプ・ソープションポンプ・イオンポンプ・ターボ分子ポンプ・etc．）
６２      風呂蓋浴槽内保温密閉装置装着時天地逆エネルギー作用
【図１】
2013138804.tif 000003
【図２】
2013138804.tif 000004
【図３】
2013138804.tif 000005
【図４】
2013138804.tif 000006
【図５】
2013138804.tif 000007
【図６】
2013138804.tif 000008
【図７】
2013138804.tif 000009
【図８】
2013138804.tif 000010
【図９】
2013138804.tif 000011
【図１０】
2013138804.tif 000012
【図１１】
2013138804.tif 000013
【図１２】
2013138804.tif 000014
【図１３】
2013138804.tif 000015
【図１４】
2013138804.tif 000016
【図１５】
2013138804.tif 000017
【図１６】
2013138804.tif 000018
【図１７】
2013138804.tif 000019
【図１８】
2013138804.tif 000020
【図１９】
2013138804.tif 000021
【図２０】
2013138804.tif 000022